(57)【要約】【課題】化粧鏡ユニットにおいて移動可能な鏡に電力を供給する技術を提供する。【解決手段】化粧鏡ユニットにおいて支持部は、中央下鏡１０をキャビネット本体部４に対して移動可能に支持する。キャビネット本体部４には、非接触給電部２０が配置され、中央下鏡１０の裏面には、非接触受電部２１およびバッテリ２２が保持される。非接触受電部２１は、非接触給電部２０から非接触で受電して、バッテリ２２に電力を供給する。中央下鏡１０がキャビネット本体部４の前面を閉じた位置にあるときに、非接触受電部２１が、非接触給電部２０から受電する。【選択図】図６
2019170946.tif 000002
【特許請求の範囲】
【請求項１】
本体部と、
前面に鏡面を有する鏡と、
前記鏡を前記本体部に対して移動可能に支持する支持部と、
前記本体部側に配置される非接触給電部と、を備えた化粧鏡ユニットであって、
前記鏡は裏面に、前記非接触給電部から供給される電力によって充電されるバッテリを保持する、
ことを特徴とする化粧鏡ユニット。
【請求項２】
前記鏡は裏面に、前記非接触給電部から非接触で受電して、前記バッテリに電力を供給する非接触受電部を保持する、
ことを特徴とする請求項１に記載の化粧鏡ユニット。
【請求項３】
前記鏡が所定の位置にあるときに、前記非接触受電部が、前記非接触給電部から受電する、
ことを特徴とする請求項２に記載の化粧鏡ユニット。
【請求項４】
前記鏡が所定の位置にあるときに、前記非接触給電部は電力を供給する、
ことを特徴とする請求項３に記載の化粧鏡ユニット。
【請求項５】
照明装置をさらに備え、
前記鏡が所定の位置から動かされると、前記照明装置が制御される、
ことを特徴とする請求項３または４に記載の化粧鏡ユニット。
【請求項６】
前記照明装置は、前記鏡の移動量に応じて、照射する光量を制御される、
ことを特徴とする請求項５に記載の化粧鏡ユニット。
【発明の詳細な説明】
【技術分野】
【０００１】
本発明はミラーユニットに関し、特に洗面化粧台などに設けられる化粧鏡ユニットに関する。
【背景技術】
【０００２】
特許文献１は、内部に収納部を形成されたキャビネット本体と、キャビネット本体の前面中央に回動自在に取り付けられた主鏡と、キャビネット本体の前面左右に回動自在に取り付けられた袖鏡を備える化粧鏡ユニットを開示する。特許文献１の化粧鏡ユニットによると、左右の袖鏡は、手前側に回動させて合わせ鏡にできる。
【先行技術文献】
【特許文献】
【０００３】
【特許文献１】特開２００４−５１８号公報
【発明の概要】
【発明が解決しようとする課題】
【０００４】
化粧鏡ユニットでは、女性が化粧するときや、男性が髭を剃るときに、顔と鏡の距離を近づける。特許文献１に開示されるように、化粧鏡ユニットが鏡を手前側に移動させる構造をもつことで、ユーザは、化粧や髭剃りなどの動作を楽な姿勢で行える。ユーザが顔を鏡で見るときには、照明で明るくしたり、また鏡が曇っていればヒータを作動させて曇りを除去することが好ましいが、鏡がキャビネット本体に対して移動する場合、照明やヒータなどの電気機器に対する電力供給手法が課題となる。
【０００５】
そこで本発明の目的は、化粧鏡ユニットにおいて移動可能な鏡に電力を供給する技術を提供することにある。
【課題を解決するための手段】
【０００６】
上記課題を解決するために、本発明のある態様の化粧鏡ユニットは、本体部と、前面に鏡面を有する鏡と、鏡を本体部に対して移動可能に支持する支持部と、本体部側に配置される非接触給電部とを備え、鏡は裏面に、非接触給電部から供給される電力によって充電されるバッテリを保持する。
【発明の効果】
【０００７】
本発明によれば、化粧鏡ユニットにおいて移動可能な鏡に電力を供給する技術を提供できる。
【図面の簡単な説明】
【０００８】
【図１】実施形態に係る洗面化粧台の正面図である。
【図２】化粧鏡ユニットの斜視図である。
【図３】中央下鏡を移動可能に支持する支持部を説明するための図である。
【図４】中央下鏡を移動可能に支持する支持部を説明するための図である。
【図５】中央下鏡を移動可能に支持する支持部を説明するための図である。
【図６】中央下鏡の裏面側の側断面を模式的に示す図である。
【図７】実施形態の非接触給電システムの構成を示す図である。
【発明を実施するための形態】
【０００９】
以下、各図面に示される同一または同等の構成要素、部材には、同一の符号を付するものとし、適宜重複した説明は省略する。各図面における部材の寸法は、理解を容易にするために適宜拡大、縮小して示し、各図面において実施形態を説明する上で重要ではない部材の一部は省略して表示する。また本明細書において、「上」、「下」、「左」、「右」はそれぞれ、洗面化粧台を利用するユーザから見た上、下、左、右であり、「前」、「後」はそれぞれ、ユーザから見て手前側、奥側である。
【００１０】
図１は、実施形態に係る洗面化粧台１の正面図である。洗面化粧台１は化粧鏡ユニット２および洗面台ユニット３を備える。洗面台ユニット３は、吐水装置６からの水を受ける洗面ボウルと、洗面用具や化粧品を収納するキャビネットを備える。
【００１１】
化粧鏡ユニット２は、洗面台ユニット３の上側に配設され、内部に収納空間を有するキャビネット本体部４を備える。キャビネット本体部４の前面側には、左鏡５ａ、中央上鏡５ｂ、右鏡５ｃ（以下、特に区別しない場合には、「開閉鏡５」と呼ぶ）が開閉可能に設けられる。各開閉鏡５は前面に鏡面を有し、強度を高めるために裏面に補強板を貼り付けられてよい。各開閉鏡５は幅方向の一方の端部で、キャビネット本体部４に対して回転可能に支持される。この例では、左鏡５ａが幅方向左側の端部で、中央上鏡５ｂが幅方向左側の端部で、右鏡５ｃが幅方向右側の端部で、それぞれキャビネット本体部４に対して回転可能に支持されている。
【００１２】
中央上鏡５ｂの下方には、前面に鏡面を有する中央下鏡１０が設けられる。中央下鏡１０も、開閉鏡５と同様に裏面に補強板を貼り付けられてもよい。上レール構造１２は、中央下鏡１０の上部をキャビネット本体部４に対して移動可能に支持し、下レール構造１３は、中央下鏡１０の下部をキャビネット本体部４に対して移動可能に支持する。上レール構造１２および下レール構造１３は、中央下鏡１０をキャビネット本体部４に対して移動可能に支持する支持部を構成する。
【００１３】
中央下鏡１０の上方には、中央下鏡１０の鏡面に光を照射するための照明装置１１が配置される。照明装置１１は、鉛直下方を照射する複数のＬＥＤを幅方向に有する。中央下鏡１０が所定位置にあるとき、ここでは中央下鏡１０がキャビネット本体部４の前面を閉じた位置にあるとき、照明装置１１のカバー部材の一部は、キャビネット本体部４の内側に収容されている。なお、この状態で照明装置１１のＬＥＤが点灯すると、中央下鏡１０の上部付近が明るくなる。照明装置１１のカバー部材は、中央下鏡１０の前方移動とともに、キャビネット本体部４の内側から引き出される。
【００１４】
図２は、化粧鏡ユニットの斜視図である。図２では、中央下鏡１０がキャビネット本体部４に対して前方に引き出された後、上部を後方に傾斜させた状態を示している。中央下鏡１０の上方には、中央下鏡１０とともに前方に引き出された照明装置１１が配置される。照明装置１１の下方で、中央下鏡１０が後方に傾斜した姿勢をとることで、照明装置１１は、中央下鏡１０の鏡面全体に光を照射できるようになり、ユーザは、自分の顔をはっきりと見ることができる。
【００１５】
実施形態の化粧鏡ユニット２において、中央下鏡１０は、裏面（後面）にバッテリを保持し、照明装置１１は、バッテリからの電力により点灯する。中央下鏡１０の裏面に保持されるバッテリは、非接触給電システムにより充電される。これにより化粧鏡ユニット２では、中央下鏡１０とキャビネット本体部４との間に電源コードを配設する必要がなく、電源コードの取り回しの煩わしさから解放される。
【００１６】
まず、中央下鏡１０を移動可能に支持する支持部について説明する。図３〜図５には、中央下鏡１０の左側を支持する上レール構造１２および下レール構造１３を示す。
【００１７】
図３（ａ）は、中央下鏡１０がキャビネット本体部４の前面を覆う位置にあるときの側断面図を示す。図３（ｂ）は、そのときの上レール構造１２を上から見た状態を、図３（ｃ）は、そのときの下レール構造１３を上から見た状態を示す。
【００１８】
上レール構造１２は、３本の第１上レール１２ａ、第２上レール１２ｂ、第３上レール１２ｃを有して構成される。第１上レール１２ａは、キャビネット本体部４に固定され、第２上レール１２ｂは、第１上レール１２ａの直線のレール軌道に対して摺動可能に設けられる。第１上レール１２ａおよび第２上レール１２ｂは、中央下鏡１０の上部を前後方向に移動させる機能をもつ。
【００１９】
第３上レール１２ｃは、第２上レール１２ｂに固定される。そのため第２上レール１２ｂが第１上レール１２ａに対して移動すると、第３上レール１２ｃも第２上レール１２ｂとともに移動する。第３上レール１２ｃは、中央下鏡１０の上側被支持部１０ａを、弧状のレール軌道に沿って摺動させる。第３上レール１２ｃは、中央下鏡１０の上部を後方に傾斜させる機能をもつ。
【００２０】
下レール構造１３は、第１下レール１３ａ、第２下レール１３ｂを有して構成される。第１下レール１３ａは、キャビネット本体部４に固定され、第２下レール１３ｂは、中央下鏡１０の下側被支持部１０ｂを回転可能に支持して、第１下レール１３ａの直線のレール軌道に対して摺動可能に設けられる。第１下レール１３ａおよび第２下レール１３ｂは、中央下鏡１０の下部を前後方向に移動させる機能をもつ。第２下レール１３ｂは、中央下鏡１０の下側被支持部１０ｂを回転可能に支持することで、中央下鏡１０の上部を後方に傾斜させるとき、中央下鏡１０は、下側被支持部１０ｂを回転軸中心として、第３上レール１２ｃの弧状のレール軌道に沿って傾斜する。
【００２１】
中央下鏡１０がキャビネット本体部４の前面を覆っているとき、上レール構造１２において、第２上レール１２ｂは第１上レール１２ａに対して相対的に最後方位置にあり、互いに重なった状態となる。また下レール構造１３においても、第２下レール１３ｂは第１下レール１３ａに対して相対的に最後方位置にあり、互いに重なった状態となる。
【００２２】
図４（ａ）は、中央下鏡１０がキャビネット本体部４から前方に最大限引き出された位置にあるときの側断面図を示す。図４（ｂ）は、そのときの上レール構造１２を上から見た状態を、図４（ｃ）は、そのときの下レール構造１３を上から見た状態を示す。
【００２３】
中央下鏡１０が矢印Ａの方向に動かされて、キャビネット本体部４から前方に最大限引き出された位置にあるとき、上レール構造１２において、第２上レール１２ｂは第１上レール１２ａに対して相対的に最前方位置にある。また下レール構造１３において、第２下レール１３ｂは第１下レール１３ａに対して相対的に最前方位置にある。
【００２４】
図５（ａ）は、中央下鏡１０の上部がキャビネット本体部４に近付く方向に傾斜した位置にあるときの側断面図を示す。図５（ｂ）は、そのときの上レール構造１２を上から見た状態を、図５（ｃ）は、そのときの下レール構造１３を上から見た状態を示す。
【００２５】
中央下鏡１０が下側被支持部１０ｂを回転軸中心として、矢印Ｂの方向に動かされると、上側被支持部１０ａは、第３上レール１２ｃに形成された弧状のレール軌道にしたがって傾斜する。上側被支持部１０ａが、第３上レール１２ｃの最後方位置まで移動すると、中央下鏡１０の鉛直面に対する傾斜角度は最大となる。
【００２６】
図３〜図５に示した中央下鏡１０の動きは、ユーザが手で動かすことで行われる。ユーザは、中央下鏡１０の前方への引き出し量や、後方への傾斜角度を、自分の好みに合わせて決めてよい。なお図３〜図５から省略しているが、照明装置１１は、上レール構造１２における第２上レール１２ｂの上部に固定される。これにより照明装置１１は、中央下鏡１０とともに前方に引き出されるようになる。
【００２７】
次に、実施形態の非接触給電システムについて説明する。
図６（ａ）、（ｂ）は、中央下鏡１０の裏面側の側断面を模式的に示す。非接触給電システムは、キャビネット本体部４側に配置される非接触給電部２０と、中央下鏡１０側に配置される非接触受電部２１およびバッテリ２２とを備える。図示されるように、非接触受電部２１およびバッテリ２２は、中央下鏡１０の裏面に取り付けられる。
【００２８】
非接触給電部２０は、電磁誘導方式や共鳴方式などの方式により送電する。非接触受電部２１は、非接触給電部２０から非接触で受電して、バッテリ２２に電力を供給する。非接触受電部２１は、非接触で非接触給電部２０から受電できるため、キャビネット本体部４と中央下鏡１０との間で、電力伝送用の電源ケーブルを必要としない。
【００２９】
機器制御部２３は、バッテリ２２による電力を用いて、中央下鏡１０または中央下鏡１０の周辺に設けられた電気機器の動作を制御する。実施形態で、電力供給対象となる電気機器は、複数のＬＥＤを搭載した照明装置１１である。中央下鏡１０が裏面にバッテリ２２を保持することで、機器制御部２３は、中央下鏡１０または中央下鏡１０の周辺に設けられた電気機器に安定して電力を供給できる。
【００３０】
図６（ａ）は、中央下鏡１０がキャビネット本体部４に対して所定の位置にあるときの非接触給電部２０と非接触受電部２１との位置関係を示す。ここで所定の位置とは、中央下鏡１０がキャビネット本体部４の前面を閉じる位置であり、このとき非接触給電部２０と非接触受電部２１とは近接して対向した状態となり、非接触受電部２１は、非接触給電部２０から供給される電力を受電する。なお非接触給電部２０は、中央下鏡１０がキャビネット本体部４に対して所定の位置にあるときに、外部電源から電力供給を受けて、非接触受電部２１に電力を供給することが好ましい。
【００３１】
図６（ｂ）は、中央下鏡１０が所定の位置から動いたときの非接触給電部２０と非接触受電部２１との位置関係を示す。中央下鏡１０がキャビネット本体部４の前面を閉じる位置から動かされると、非接触給電部２０と非接触受電部２１とは離れ、非接触受電部２１は、非接触給電部２０から供給される電力を受電できない。そのため非接触給電部２０は、中央下鏡１０が所定の位置から動くと、送電を中止して、無駄な電力消費を回避することが好ましい。
【００３２】
図７は、実施形態の非接触給電システムの構成を示す。キャビネット本体部４側には、非接触給電部２０、送電制御部２５および位置検出部２７が設けられ、中央下鏡１０側には、非接触受電部２１、バッテリ２２、機器制御部２３および管理部２６が設けられる。
【００３３】
送電制御部２５は、非接触給電部２０の送電を制御する。実施形態で送電制御部２５は、中央下鏡１０がキャビネット本体部４を閉じた位置にあるときに、送電をオンに制御する。中央下鏡１０がキャビネット本体部４を閉じた位置にあることは、位置検出部２７により検出され、送電制御部２５は、位置検出部２７から検出信号を受け取ると、送電制御部２５の送電をオンに制御する。たとえば位置検出部２７は、中央下鏡１０がキャビネット本体部４を閉じると検出信号を出力する接点スイッチであってよい。
【００３４】
中央下鏡１０がキャビネット本体部４を閉じた位置にあるとき、非接触受電部２１は、非接触給電部２０から受電可能な位置にいるため、送電制御部２５は、非接触給電部２０の送電をオンに制御して、効率的な給電を実現する。一方で、中央下鏡１０がキャビネット本体部４を閉じた位置になければ、非接触受電部２１は、非接触給電部２０の送電をオフに制御して、無駄な送電を回避する。
【００３５】
管理部２６は、バッテリ２２の充電状態を管理する。管理部２６は、少なくとも非接触受電部２１が受電状態にあるか否かを監視して、受電状態にある場合にはバッテリ２２が過充電とならないように管理してよい。管理部２６は、非接触受電部２１が受電状態にあるか否かを示す受電情報を機器制御部２３に通知してもよい。
【００３６】
実施形態で機器制御部２３は、中央下鏡１０の鏡面に光を照射する照明装置１１の動作を制御する。機器制御部２３は受電情報から、非接触受電部２１が受電していないことを検知すると、照明装置１１を点灯してもよい。非接触受電部２１が受電していないことは、中央下鏡１０がキャビネット本体部４の前面を閉じた位置とは別の位置に動かされていることを意味する。このように機器制御部２３が照明装置１１を点灯制御することで、照明装置１１は、中央下鏡１０が所定位置から動かされることで点灯する。これによりユーザが中央下鏡１０を前方に引き出すと、照明装置１１が中央下鏡１０とともに引き出されつつ、自動点灯するため、照明装置１１の電源スイッチをユーザが操作する手間を省くことができる。なお機器制御部２３は、非接触受電部２１が受電しているとき、照明装置１１を消灯してもよい。
【００３７】
機器制御部２３は、中央下鏡１０の移動量に応じて、照明装置１１から照射する光量を制御してもよい。中央下鏡１０には、中央下鏡１０の移動量を取得する手段が設けられ、機器制御部２３は、取得された移動量に応じて、照明装置１１から照射する光量を制御してよい。
【００３８】
たとえば機器制御部２３は、移動量が多いほど、照射光量が多くなるように照明装置１１を発光制御する。中央下鏡１０の移動量には、前方への引き出し量と、後方への傾斜量があるが、たとえば引き出し量が多いほど、照射光量が多く、また傾斜量が多いほど、照射光量が多くなるように制御してよい。照明装置１１が、中央下鏡１０の移動量に応じて照射する光量を自動的に制御されることで、ユーザは、中央下鏡１０を動かしながら、自分に適した明るさを見つけられるようになる。
【００３９】
以上、実施形態に係る化粧鏡ユニット２について説明した。この実施の形態は例示であり、各構成要素の組み合わせにいろいろな変形例が可能なこと、またそうした変形例も本発明の範囲にあることは当業者に理解されるところである。実施形態では、化粧鏡ユニット２が、内部に収納空間を有するキャビネット本体部４を備えているが、変形例の化粧鏡ユニット２は、収納空間を備えなくてもよい。また電力の供給対象となる電気機器として照明装置１１を示したが、他の機器、たとえば曇り止め用ヒータなどであってもよい。
【００４０】
実施形態では、機器制御部２３が、中央下鏡１０の移動量に応じて照明装置１１の発光量を調整するが、変形例では、発光量の調整を行わなくてよく、また照明装置１１の自動点灯、自動消灯の制御をしなくてもよい。
【００４１】
実施形態では、前方に引き出し可能な中央下鏡１０の裏面に非接触受電部２１およびバッテリ２２を保持させることを説明したが、移動のタイプは、これに限定されない。たとえば非接触受電部２１およびバッテリ２２は、開閉鏡５のような回転移動するタイプの鏡の裏面に保持されてもよい。
【００４２】
本発明の態様の概要は、次の通りである。
本発明のある態様の化粧鏡ユニットは、本体部と、前面に鏡面を有する鏡と、鏡を本体部に対して移動可能に支持する支持部と、本体部側に配置される非接触給電部と、を備えた化粧鏡ユニットであって、鏡は裏面に、非接触給電部から供給される電力によって充電されるバッテリを保持する。
【００４３】
この態様によると、鏡が裏面にバッテリを保持することで、鏡や鏡の周辺に配置された電気機器に対して、安定して電力を供給できるようになる。
【００４４】
鏡は裏面に、非接触給電部から非接触で受電して、バッテリに電力を供給する非接触受電部を保持してよい。鏡が裏面に非接触受電部を保持することで、非接触給電部から受電した電力を、バッテリに供給することが可能となる。
【００４５】
鏡が所定の位置にあるときに、非接触受電部が、非接触給電部から受電することが好ましい。これにより鏡を本体部に対して所定の位置関係にすることで、非接触受電部の受電が実現されるようになる。なお鏡が所定の位置にあるときに、非接触給電部は電力を供給してもよい。非接触給電部による送電条件を設定することで、無駄な送電を回避できる。
【００４６】
化粧鏡ユニットは、照明装置をさらに備えてもよい。鏡が所定の位置から動かされると、照明装置が制御されてよい。この制御は、点灯、消灯、調光等を含んでよい。照明装置は、鏡の移動量に応じて、照射する光量を制御されてもよい。
【符号の説明】
【００４７】
２・・・化粧鏡ユニット、４・・・キャビネット本体部、１０・・・中央下鏡、１１・・・照明装置、２０・・・非接触給電部、２１・・・非接触受電部、２２・・・バッテリ。
【図１】
2019170946.tif 000003
【図２】
2019170946.tif 000004
【図３】
2019170946.tif 000005
【図４】
2019170946.tif 000006
【図５】
2019170946.tif 000007
【図６】
2019170946.tif 000008
【図７】
2019170946.tif 000009